(57)【要約】【課題】  本体ケース内の排気圧損の上昇に応じて生ずる発生する騒音を低減させることが可能な送風装置を提供すること。【解決手段】  本発明に係る送風装置１は、多翼ファン９、２５を回転させることにより空気を吸入する吸入手段６、２０と、多翼ファン９、２５の回転に伴って吸入された空気をファン出口１１ｃ、２７ｃ方向へと誘導するための導通路１２、２８を形成するファンケース１１、２７とを有している。送風装置１には、導通路１２、２８のファン出口１１ｃ、２７ｃ近傍に負圧の空気の整流を行う第１整流手段１５ａ、３５ａが形成され、第１整流手段１５ａ、３５ａに対する導通路１２、２８の上流側に、多翼ファン９、２５により導入された空気の正圧部分と負圧部分とを仕切るための第２整流手段１５ｂ、３５ｂが形成されている。【選択図】  図６
2008020149.tif 000002
【特許請求の範囲】
【請求項１】
多翼ファンを回転させることにより空気を吸入する吸入手段と、
前記多翼ファンの回転に伴って吸入された空気をファン出口方向へと誘導するための導通路を形成するファンケースとを有し、
負圧の空気の整流を行う第１整流手段を前記導通路の前記ファン出口近傍に形成し、
前記第１整流手段に対する前記導通路の上流側に、前記多翼ファンにより導入された空気の正圧部分と負圧部分とを仕切るための第２整流手段を形成する
ことを特徴とする送風装置。
【請求項２】
前記第１整流手段および前記第２整流手段は、前記ファンケース内壁の上面又は下面の少なくとも一方に形成されることを特徴とする請求項１に記載の送風装置。
【請求項３】
前記第２整流手段は、当該第２整流手段の側面と前記ファンケースの側壁部とが所定の間隔又は角度を持って形成されることを特徴とする請求項１又は請求項２に記載の送風装置。
【請求項４】
前記第２整流手段は、直線状に形成されていることを特徴とする請求項１乃至請求項３のいずれか１項に記載の送風装置。
【請求項５】
前記第１整流手段は前記多翼ファン寄りに形成されると共に、前記第１整流手段の前端部が、前記第２整流手段の後端部の延設方向より外れた位置に形成されることを特徴とする請求項１又は請求項４のいずれか１項に記載の送風装置。
【請求項６】
前記第１整流手段の高さは前記第２整流手段の高さよりも低いことを特徴とする請求項１又は請求項５のいずれか１項に記載の送風装置。
【請求項７】
多翼ファンを回転させることにより空気を吸入する吸入手段と、
前記多翼ファンの回転に伴って吸入された空気をファン出口方向へと誘導するための導通路を形成するファンケースとを有し、
該ファンケース内壁の上面および下面に、前記導通路を流れる空気の整流を行うための整流手段が形成することを特徴とする送風装置。
【請求項８】
前記整流手段は、前記ファン出口近傍に設けられることを特徴とする請求項７に記載の送風装置。
【発明の詳細な説明】
【技術分野】
【０００１】
本発明は、多翼ファンを回転させることにより空気を吸入する吸入手段と、多翼ファンの回転に伴って吸入された空気をファン出口方向へと誘導するための導通路を形成するファンケースとを有する送風装置に関する。
【背景技術】
【０００２】
一般的な浴室には、浴室の換気を行うための送風装置が設けられている。近年では、単に浴室の換気を行うだけでなく、浴室内の空気を暖めることによって衣類を乾かす浴室乾燥機能等を備えた浴室空調装置が多く存在する。
【０００３】
浴室空調装置では、浴室内の空気を吸収するためのファンとしてシロッコファン等の多翼ファンが多く用いられている。シロッコファンは、周縁部に複数の翼が配設された円盤状のファンを回転させることによって、回転中心から周方向へと空気を排出させる構造となっている。
【０００４】
シロッコファンを使用した浴室空調装置は、その構造から設備の厚み（高さ）を低くすることができるため、装置本体をコンパクトに設計することが容易である。このため、シロッコファンを用いた送風装置は、設置スペースが限られる浴室天井等に設置しやすいという特徴を備えている（例えば、特許文献１参照）。
【特許文献１】特開２００４−３４０４０７号公報（第４−６頁、第１図）
【発明の開示】
【発明が解決しようとする課題】
【０００５】
しかしながら、シロッコファンを使用した送風装置では、本体ケース内に導入される空気が、本体ケース内において空気の剥離や渦を発生させしまい、ファン回転時にバサバサという騒音（バサバサ音）を発生させるおそれがあるという問題があった。
【０００６】
この騒音を低減させるために、導入される空気の流れを整流する整流部材を、本体ケースにおけるシロッコファン収納部の出口部分近傍に設置して、空気の乱れを防止する方法が提案されている。しかしながら、本体ケースから伸びる排気ダクトや吸気ダクトが長い場合には、前記出口部分近傍における排気圧損が高くなって円滑な排気が行われなくなるおそれがあり、この排気の乱れによって、結果として騒音が発生するおそれがあるという問題があった。
【０００７】
本発明は、上記問題に鑑みてなされたものであり、本体ケース内の排気圧損の上昇に応じて生ずる発生する騒音を低減させることが可能な送風装置を提供することを課題とする。
【課題を解決するための手段】
【０００８】
上記課題を解決するために、本発明に係る送風装置は、多翼ファンを回転させることにより空気を吸入する吸入手段と、前記多翼ファンの回転に伴って吸入された空気をファン出口方向へと誘導するための導通路を形成するファンケースとを有し、負圧の空気の整流を行う第１整流手段を前記導通路の前記ファン出口近傍に形成し、前記第１整流手段に対する前記導通路の上流側に、前記多翼ファンにより導入された空気の正圧部分と負圧部分とを仕切るための第２整流手段を形成することを特徴とする。
【０００９】
また、前記第１整流手段および前記第２整流手段は、前記ファンケース内壁の上面又は下面の少なくとも一方に形成されるものであってもよく、さらに、前記第２整流手段は、前記ファンケースの側壁部に沿って形成されているものでもよい。
【００１０】
さらに、前記第２整流手段は、当該第２整流手段の側面と前記ファンケースの側壁部とが所定の間隔又は角度を持って形成されているものであってもよい。
【００１１】
また、前記第２整流手段は、直線状に形成されていてもよい。
【００１２】
さらに、前記第１整流手段は、前記多翼ファン寄りに形成されると共に、前記第１整流手段の前端部が、前記第２整流手段の後端部の延設方向より外れた位置に形成されるものであってもよい。
【００１３】
また、前記第１整流手段の高さは前記第２整流手段の高さよりも低いものであってもよい。
【００１４】
さらに送風装置は、多翼ファンを回転させることにより空気を吸入する吸入手段と、前記多翼ファンの回転に伴って吸入された空気をファン出口方向へと誘導するための導通路を形成するファンケースとを有し、該ファンケース内壁の上面および下面に、前記導通路を流れる空気の整流を行うための整流手段が形成することを特徴とする。
【００１５】
この送風装置では、前記整流手段が、前記ファン出口近傍に設けられるものであってもよい。
【発明の効果】
【００１６】
本発明に係る送風装置では、第１整流手段に対する導通路の上流側に、多翼ファンにより導入された空気の正圧部分と負圧部分とを仕切るための第２整流手段を形成されているので、導通路を流れる気流が正圧から負圧へと変化して気流が乱れることを防止することができる。このため、第２整流手段によって効果的に整流を行うことができ、導通路の気流の乱れにより生ずる騒音の発生を抑制することが可能となる。
【００１７】
特に、送風装置に接続される排気ダクト等の長さが長くなる場合には、導通路内の排気圧損が高くなって円滑な排気が行われなくなる可能性があり、結果として気流の乱れが生じて騒音が発生するおそれがある。このため、第２整流手段を、気流が正圧から負圧へと変化する位置に設置することによって、より効果的に導通路の整流を行うことが可能となり、騒音が発生を抑制することができる。
【００１８】
また、第１整流手段および第２整流手段が、ファンケース内壁の上面又は下面の少なくとも一方に形成されるので、一方のみに設置される場合はもちろんのこと、両方に設置された場合にはより効果的に気流の整流を行うことができ、騒音が発生を抑制することができる。
【００１９】
さらに、第２整流手段は、第２整流手段の側面とファンケースの側壁部とが所定の間隔又は角度を持って形成されているので、第２整流手段によって整流された空気は、ファンケースの側壁面にほぼ平行な気流へと整流され、又はケースの側壁面に対して所定の角度方向へと整流されて排出されることとなり、高い整流効果を奏することが可能となる。特に、前記第２整流手段が、直線状に形成される場合には、より高い整流効果をそうすることが可能となる。
【００２０】
また、第１整流手段が多翼ファン寄りに形成されるので、多翼ファンの回転により、多翼ファン近傍において負圧が増大して気流が乱れてしまうことを抑制することができ、整流を効果的に行うことができる。
【００２１】
さらに、第１整流手段の前端部は、第２整流手段の後端部の延設方向より外れた位置に形成されるので、第２整流手段により整流された空気の流れを、第１整流手段で阻害することなく誘導することが可能となる。
【００２２】
また、第１整流手段の高さが、第２整流手段の高さよりも低いので、第２整流手段により導通路の上流における大きな気流の流れを整流し、第１整流手段により多翼ファン近傍の局所的な空気の乱れを効果的に整流することができる。
【００２３】
さらに、ファンケース内壁の上面および下面に、導通路を流れる空気の整流を行うための整流手段が形成される場合には、より効果的に気流の整流を行うことができ、特に、導通路内の排気圧損が高くなって円滑な排気が行われなくなった場合には、より効果的に導通路の整流を行い、騒音の発生を抑制することが可能となる。
【００２４】
また、整流手段がファン出口近傍に設けられる場合には、より効果的に整流を行うことができる。
【発明を実施するための最良の形態】
【００２５】
以下、本発明に係る送風装置を備えた浴室空調装置を、図面を用いて詳細に説明を行う。
【００２６】
図１は、浴室空調装置を示す分解斜視図であり、図２は、図１に示す浴室空調装置のＡ−Ａ断面を示しており、図３は図１に示す浴室空調装置のＢ−Ｂ断面を示している。なお、図２および図３では、説明のため一部を透視した状態で示し、その該当箇所を破線で示している。
【００２７】
浴室空調装置１は、本体ケース２と、換気ユニット３と、循環ユニット４と、フロントパネル５とを有している。
【００２８】
本体ケース２は、所定の高さを有する箱体であり、不燃性の部材、例えば製造性・コスト等を考慮して鉄等の金属によって構成されている。また、本体ケース２の底面は開放されており、開放された下部開口周縁にはフランジ２ａが形成されている。このフランジには、フロントパネル５を下方より着脱自在に装着することが可能となっている。
【００２９】
本体ケース２は、内部に換気ユニット３と循環ユニット４とを取り付けることが可能な構造となっており、換気ユニット３と循環ユニット４とを内部に設置する場合には、上部に換気ユニット３が設置され、その下に循環ユニット４が設置される。
【００３０】
また、本体ケース２の一側面には、他室内の空気を吸入するための他室排気吸込口２ｃが形成されている。また、本体ケース２の他側面には、換気ユニット３により吸入された空気を浴室空調装置１の外部へ排気するための排気口２ｂが形成されている。
【００３１】
図４は、本体ケース２に収納された換気ユニット３の側面図を示しており、図５は、図４に示す換気ユニット３を矢印Ｃ方向より示した底面図である。
【００３２】
換気ユニット３は、図２〜図６に示すように換気ファンユニット（吸入手段）６と、上部換気用吸込部７ａと回路基板部８を備えている。
【００３３】
換気ファンユニット６は、主板９ａの周縁部に多数の翼９ｂが設けられる換気シロッコファン（多翼ファン）９と、換気シロッコファン９を回転駆動する換気ファンモータ１０と、換気シロッコファン９を収納すると共に換気ファンモータ１０の取り付けが行われる換気ファンケース（ファンケース）１１と有している。換気シロッコファン９は、換気ファンモータ１０の上方に位置しており、換気シロッコファン９は、上方に向けて立設された換気ファンモータ１０の回転軸１０ａに固定されている。
【００３４】
換気ファンケース１１は、図５に示すように、本体ケース２の排気口２ｂ方向に延設された筒状の排気案内部１１ａと、円柱状ケースの端部が側方に突出して凸状部１１ｂが形成されると共に、排気案内部１１ａに連通する側部開口１１ｃが凸状部１１ｂに形成された換気ファンケース本体部１１ｄとにより構成されている。なお、換気ファンケース本体部１１ｄの円柱状ケースは、換気シロッコファン９を収納するために、換気シロッコファン９よりも拡径を呈している。
【００３５】
換気シロッコファン９は、換気ファンケース本体部１１ｄの円形状空間部１１ｆにおいて、舌状部１１ｅ寄りに偏芯した状態で設置される。換気シロッコファン９が設置された換気ファンケース１１では、換気シロッコファン９に対向する換気ファンケース本体部１１ｄの内壁面により、舌状部１１ｅ付近を起点とし側部開口１１ｃを出口（ファン出口）とする環状の導通路１２が形成される。なお、換気シロッコファン９が換気ファンケース本体部１１ｄに対して偏芯した状態で設置されるため、導通路１２は起点から側部開口１１ｃに進むに従って通路幅が次第に拡幅された状態となる。
【００３６】
また、換気ファンケース本体部１１ｄの上面には、図２、図４に示すように、換気シロッコファン９の主板９ａを回転軸１０ａ方向から臨むようにして換気ファン吸込口１１ｇが形成されている。なお、換気ユニット３が本体ケース２に設置される場合には、本体ケース２の上面と換気ファン吸込口１１ｇとの間に、図２、図３および図４に示すように高さＬの空間が確保される。
【００３７】
換気ファンケース本体部１１ｄには、図５、図６に示すように、導通路１２を通過する空気の整流を行うために第１換気整流部材（第１整流手段）１５ａが、凸状部１１ｂの内壁底面（下面側の内壁）であって換気シロッコファン９寄りの位置に設けられており、さらに、第１換気整流部材１５ａの上流位置には、導通路１２の通路幅を分割するようにして第２換気整流部材（第２整流手段）１５ｂが設けられている。第２換気整流部材１５ｂは、その側面と換気ファンケース本体部１１ｄの側壁面とが一定の間隔（所定の間隔）を保つように形成されており、第２換気整流部材１５ｂの側面と換気ファンケース本体部１１ｄの側壁面とがほぼ並行となっている。
【００３８】
第１換気整流部材１５ａおよび第２換気整流部材１５ｂの水平断面形状は、図５、図６に示すように、前端部（導通路１２の上流側の端部）の幅を後端部（側部開口１１ｃ側の端部）よりも太くするとともに端部を丸く加工した尾翼形状となっている。
【００３９】
第１換気整流部材１５ａは、第２換気整流部材１５ｂの延設方向に重ならないように、第１換気整流部材１５ａの前端部位置１３ａが、第２換気整流部材１５ｂの後端部位置１３ｂの延設方向から外れた位置（第１換気整流部材１５ａの前端部位置１３ａと第２換気整流部材１５ｂの後端部位置１３ｂとがずれた位置）に配設されており、第２換気整流部材１５ｂにより整流された気流が第１換気整流部材１５ａによって乱されてないように考慮されている。また、第１換気整流部材１５ａの高さは、第２換気整流部材１５ｂの高さよりも低くなるように調整されている。
【００４０】
排気案内部１１ａは、一端が換気ファンケース本体部１１ｄの側部開口１１ｃに連結され、さらに多端が本体ケース２の排気口２ｂに連結される構造となっている。排気案内部１１ａがこのように連結されることにより、換気ファンケース１１の内部と本体ケース２の排気口２ｂが連通して排気風路１７が形成される。
【００４１】
上部換気用吸込部７ａは、上面および下面が開放した筒状の部材により形成されており、本体ケース２の上面と上部換気用吸込部７ａの上端部との間に前述した高さＬの空間が確保されるようにして、換気ファンユニット６の側方に設置される。
【００４２】
回路基板部８は、換気ファンユニット６の側方であって他室排気吸込口２ｃの近傍位置に設置される。回路基板部８の内部には、浴室空調装置１の制御を行うための制御部６０を備えた回路基板等が収納されている。また、他室排気吸込口２ｃは、本体ケース２の上面と換気ファン吸込口１１ｇとの間に形成される高さＬの空間に連通されており、この空間により他室排気吸込口２ｃから換気ファン吸込口１１ｇへと繋がる他室排気吸込風路１８が形成される。
【００４３】
図７は、循環ユニット４の側方断面図を示しており、図８は、図７に示す循環ユニット４を矢印Ｄ方向より示した底面図である。
【００４４】
換気ユニット３は、図７、８に示すように、循環ファンユニット（吸入手段）２０と、ヒータ２１と、下部換気用吸込部７ｂと、電動室２２とを備えている。
【００４５】
循環ファンユニット２０は、主板２５ａの周縁部に多数の翼２５ｂが設けられる循環シロッコファン（多翼ファン）２５と、循環シロッコファン２５を回転駆動する循環ファンモータ２６と、循環シロッコファン２５を収納すると共に循環ファンモータ２６の取り付けが行われる循環ファンケース（ファンケース）２７と有している。循環ファンユニット２０では、循環ファンモータ２６が循環シロッコファン２５の上方に位置しており、循環シロッコファン２５は、下方に向けて垂設された循環ファンモータ２６の回転軸２６ａに固定されている。
【００４６】
循環ファンケース２７は、図７に示すように、循環ファンユニット２０の端部に形成される吹出口２３方向に延設された筒状の循環案内部２７ａと、円柱状ケースの端部が側方に突出して凸状部２７ｂが形成されると共に、循環案内部２７ａに連通する側部開口２７ｃが凸状部２７ｂに形成された循環ファンケース本体部２７ｄとにより構成されている。なお、循環ファンケース本体部２７ｄの円柱状ケースは、循環シロッコファン２５を収納するために、循環シロッコファン２５よりも拡径を呈している。
【００４７】
循環シロッコファン２５は、循環ファンケース本体部２７ｄの円形状空間部２７ｆにおいて、舌状部２７ｅ寄りに偏芯した状態で設置される。循環シロッコファン２５が設置された循環ファンケース２７では、循環シロッコファン２５に対向する循環ファンケース本体部２７ｄの内面により、舌状部２７ｅを起点とし側部開口２７ｃを出口（ファン出口）とする環状の導通路２８が形成される。なお、循環シロッコファン２５が循環ファンケース本体部２７ｄに対して偏芯した状態で設置されるため、導通路２８は、起点となる舌状部２７ｅ付近から側部開口２７ｃに進むに従って通路幅が次第に拡幅された状態となる。
【００４８】
また、循環ファンケース本体部２７ｄの下面には、図７に示すように、循環シロッコファン２５の主板２５ａを回転軸２６ａ方向から臨むようにして循環用吸込口２７ｇが形成されている。
【００４９】
循環ファンケース本体部２７ｄには、図８、図９に示すように、導通路２８を通過する空気の整流を行うために第１循環整流部材（第１整流手段）３５ａが、凸状部２７ｂの内壁上面であって循環シロッコファン２５寄りの位置に設けられており、さらに、第１循環整流部材３５ａの上流位置には、導通路２８の通路幅を分割するようにして第２循環整流部材（第２整流手段）３５ｂが設けられている。第２循環整流部材３５ｂは、その側面と循環ファンケース本体部２７ｄの側壁面とが一定の間隔を保つように形成されており、第２循環整流部材３５ｂの側面と循環ファンケース本体部２７ｄの側壁面とがほぼ並行となっている。
【００５０】
第１循環整流部材３５ａおよび第２循環整流部材３５ｂの水平断面形状は、図８、９に示すように、前端部（導通路２８の上流側の端部）の幅を後端部（側部開口２７ｃ側の端部）よりも太くするとともに端部を丸く加工した尾翼形状となっている。
【００５１】
第１循環整流部材３５ａは、第２循環整流部材３５ｂの延設方向に重ならないように、第１循環整流部材３５ａの前端部位置３３ａが、第２循環整流部材３５ｂの後端部位置３３ｂの延設方向から外れた位置（第１循環整流部材３５ａの前端部位置３３ａと第２循環整流部材３５ｂの後端部位置３３ｂとがずれた位置）に配設されており、第２循環整流部材３５ｂにより整流された気流が第１循環整流部材３５ａによって乱されてないように考慮されている。また、第１循環整流部材３５ａの高さは、第２循環整流部材３５ｂの高さよりも低くなるように調整されている。
【００５２】
循環案内部２７ａは、一端が循環ファンケース本体部２７ｄの側部開口２７ｃに連結され、さらに他端が吹出口２３に連結される構造となっている。吹出口２３は開口を浴室の方向に向けて形成されており、循環案内部２７ａが側部開口２７ｃと吹出口２３とに連結されることによって、循環ファンケース２７の内部と吹出口２３とが連通して循環風路３７が形成される。
【００５３】
ヒータ２１は、循環案内部２７ａの内部に設けられている。ヒータ２１として、例えばＰＴＣ（Positive Temperature Coefficient）ヒータを用いることができる。なお、ヒータ２１はＰＴＣヒータに限定されるものではなく、カーボンヒータ等の他の加熱手段を用いてもよい。
【００５４】
下部換気用吸込部７ｂは、上面および下面が開放した筒状の部材により形成されており、循環ファンユニット２０の側方に配設される。下部換気用吸込部７ｂの下面の開放部は、換気用吸込口３６を形成している。換気ユニット３が設置された本体ケース２に対して循環ユニット４が設置されると、循環ユニット４の下部換気用吸込部７ｂの上面と、換気ユニット３の上部換気用吸込部７ａの下面が接続された状態となる。上部換気用吸込部７ａと下部換気用吸込部７ｂとが連結され一体となることによって、換気用吸込口３６から換気ファン吸込口１１ｇへと繋がる換気用吸込風路３８が形成される。
【００５５】
また、下部換気用吸込部７ｂの換気用吸込口３６の近傍には、シャッタ４０が回動自在に設けられている。シャッタ４０のシャッタ軸４０ａは、下部換気用吸込部７ｂの壁面を貫通して循環ユニット４内部に形成された電動室２２内に進入している。電動室２２内に進入したシャッタ軸４０ａの端部には、第１駆動ギア４０ｃが固定されており、さらに第１駆動ギア４０ｃには、ステッピングモータ等のシャッタ開閉用のモータ４１の回転軸４１ａの先端に固定された第２駆動ギア４０ｄが噛合されている。第１駆動ギア４０ｃと第２駆動ギア４０ｄとが噛合しているため、モータ４１の駆動に応じてシャッタ軸４０ａが回転し、シャッタ４０の開閉が行われる。このモータ４１の駆動制御は、前述した回路基板部８に設けられる制御部６０によって行われる。
【００５６】
このようにして構成される換気ユニット３と循環ユニット４とを本体ケース２に設置した後に、換気ファンモータ１０を駆動させて換気シロッコファン９を回転させ、さらに、モータ４１を駆動させて換気用吸込口３６を開放させると、換気シロッコファン９の回転に伴って、換気用吸込口３６より浴室空調装置１外部の空気が換気用吸込風路３８を介して吸入される。さらに換気シロッコファン９の回転に伴って、他室排気吸込口２ｃより浴室外部の空気が他室排気吸込風路１８を介して吸入される。換気用吸込風路３８および他室排気吸込風路１８を介して換気ファンユニット６へと吸入された空気は、排気案内部１１ａと換気ファンケース本体部１１ｄに形成された導通路１２とにより形成された排気風路１７を介して排気口２ｂへと導かれて、浴室空調装置１の外部に排出される。
【００５７】
また、循環ファンモータ２６を駆動させて循環シロッコファン２５を回転させ、さらにヒータ２１を動作させると、循環シロッコファン２５の回転に伴って、浴室内の空気が循環用吸込口２７ｇを介して循環ファンユニット２０内に吸入される。循環ファンユニット２０へと吸入された空気は、循環ファンケース本体部２７ｄに形成された導通路１２および循環案内部２７ａにより形成された循環風路３７を介して吹出口２３へと導かれる。このとき、循環案内部２７ａを通過する空気は、ヒータ２１により暖められるため、ヒータ２１により温風となった空気が、浴室内に循環される。
【００５８】
フロントパネル５には、図１に示すように、下部換気用吸込部７ｂの換気用吸込口３６の設置位置に対応するようにして、換気用吸込口５ａが形成されており、また、循環ファンユニット２０の循環用吸込口２７ｇの設置位置に対応するようにして循環用吸込口５ｂが形成されている。さらに、フロントパネル５には、循環ユニット４の吹出口２３の設置位置に対応するようにして吹出口５ｃが形成されている。
【００５９】
次に、本実施形態に係る浴室空調装置１を浴室に設置する場合について説明する。図１０は、浴室空調装置１を、洗面所４２に隣接した浴室４３に設置した状態を示している。
【００６０】
浴室４３の天井パネル４３ａには、浴室空調装置１の本体ケース２を収納可能な開口部が形成されており、浴室空調装置１の本体ケース２をこの開口部より天井裏に収納することによって、浴室空調装置１が浴室４３に設置される。本体ケース２は、天井裏から吊り下げられるか、または天井パネル４３ａに固定されるようにして設置されており、固定された本体ケース２の下面に対して、フロントロントパネル５が浴室４３に露出するようにして取り付けられる。
【００６１】
浴室空調装置１の他室排気吸込口２ｃには、洗面所４２に設置された連結ユニット５７に一端が設置される第１他室排気ダクト４６ａが他室排気ダクト接続部４７を介して接続されている。連結ユニット５７の下面には第１排気ダクト５０に連通する開口部（図示省略）が形成されており、この開口部を介して浴室４３の洗面所排気吸込口４５と第１他室排気ダクト４６ａとが連通された状態となる。さらに、連結ユニット５７にはトイレ５６のトイレ排気吸込口５８に一端が連結される第２他室排気ダクト４６ｂが設けられており、連結ユニット５７を介して第１他室排気ダクト４６ａと第２他室排気ダクト４６ｂとが連結されている。
【００６２】
さらに、浴室空調装置１の排気口２ｂには、建物の外壁に設置された排気グリル４９に一端が接続された排気ダクト５０が、排気ダクト接続部５１を介して接続されている。浴室４３と建物の外壁との間には、図１０に示すようにリビングルーム５９が設けられているため、排気ダクト５０は、リビングルーム５９の天井裏を横断するようにして設置されている。
【００６３】
なお、本実施形態においては、浴室空調装置１に対して、連結ユニット５７により第２他室排気ダクト４６ｂが接続された第１他室排気ダクト４６ａを連結し、洗面所４２とトイレ５６との空気を他室排気吸込口２ｃを介して吸込み、吸込んだ空気を排気ダクト５０を介して排気口２ｂより建物外に排気する構成としたが、浴室空調装置１に２つの他室排気吸込口２ｃを設け、一方の他室排気吸込口２ｃに第１他室排気ダクト４６ａを連結し、他方の他室排気吸込口２ｃに第２他室排気ダクト４６ｂを連結する構成としてもよい。
【００６４】
また、浴室空調装置１に、他室排気吸込口２ｃを一つだけ設けて、洗面所４２又はトイレ５６の一方の空気のみを他室排気吸込口２ｃを介して吸込み、吸込んだ空気を排気口２ｂを介して建物外に排気する構成としてもよく、さらに、浴室空調装置１に複数の他室排気吸込口２ｃを複数設け、複数の他室の空気を吸込むような構成としてもよい。また、浴室空調装置１に他室排気吸込口２ｃを設けず、他室からの空気の吸込みを行わない構成としてもよい。
【００６５】
浴室４３には、洗濯物等を吊すためのランドリパイプ５２を設置することが可能となっている。浴室空調装置１のヒータ２１で加熱された温風をランドリパイプ５２に掛けられた洗濯物等に当てることによって、洗濯物を素早く乾かすことが可能となる。
【００６６】
また、浴室４３の入口には浴室ドア５３が設けられており、浴室ドア５３の下部には空気取入口５３ａ（ガラリ）５３ａが形成されている。浴室空調装置１により浴室４３内の空気の吸い込みが行われた場合には、浴室４３内の空気の吸い込みに伴って、洗面所４２の空気が空気取入口５３ａを介して浴室４３内に導かれる。
【００６７】
さらに、洗面所４２の壁面には、浴室空調装置１の操作を行うための操作パネル５５が設けられている。図１１（ａ）は、操作パネル５５の一例を示した図である。操作パネル５５は、表示部５５ａと、暖房運転モードを選択する暖房モードボタン５５ｂ、涼風運転モードを選択する涼風モードボタン５５ｃと、換気運転モードを選択する換気モードボタン５５ｄと、乾燥運転モードを選択する乾燥モードボタン５５ｅとが設けられている。また、選択した運転モードを利用者が確認できるように、例えば各ボタン５５ｂ〜５５ｄに対応してランプ５５ｆが設けられており、選択された運転モードのボタン５５ｂ〜５５ｄに対応してランプ５５ｆが点灯するようになっている。さらに、タイマボタン５５ｇを設けて、設定した時間に所望の運転モードが実行開始または終了できるようにしてもよい。
【００６８】
また、操作パネル５５に設けられた操作ボタン５５ｂ〜５５ｄによってどの運転モードも選択されていない場合、浴室空調装置１は、２４時間換気運転モードによる運転を行う。所定の建物では２４時間換気を行うことが義務付けられており、２４時間換気では、住宅全体又は住宅の所定エリアの容積を所定の換気回数（例えば０．５回／時間）換気する必要がある。このため、一般的には、浴室空調装置１に２４時間換気運転モードを設けて、建物内の換気が行われている。
【００６９】
利用者が操作パネル５５を操作して、浴室空調装置１の運転モードの選択を行うと、図１１（ｂ）に示すように、選択された情報が回路基板部８に収納された制御部６０に伝達される。制御部６０は、ＣＰＵ（Central Processing Unit）やメモリ等で構成されており、この制御部６０の制御によってヒータ２１と、換気ファンモータ１０と、循環ファンモータ２６と、シャッタ４０用のモータ４１との駆動制御が行われる。制御部４１は、図示しないメモリ等に格納されたプログラム従って、利用者により選択された暖房運転モード、換気運転モード、涼風運転モードおよび乾燥運転モードに応じた制御を、ヒータ２１、換気ファンモータ１０、循環ファンモータ２６、モータ４１に対して実行する。
【００７０】
次に、上述した運転モードに対応して実行される浴室空調装置１の動作について説明する。
【００７１】
＜換気運転モード・２４時間運転モードについて＞
図１２（ａ）（ｂ）は換気運転モード時の浴室空調装置１の動作状態と矢印で表した空気の流れとを示した図である。操作パネル５５において利用者により換気モードボタン５５ｄが押下されて、換気運転モードが選択されると、制御部６０は換気運転モードによる制御動作を実行する。
【００７２】
具体的に、制御部６０は、循環ファンモータ２６を停止させて循環シロッコファン２５の回転を止めると共にヒータ２１を停止させる。また、制御部６０は、換気ファンモータ１０を駆動させて換気シロッコファン９を回転させると共に、シャッタ４０用のモータ４１を駆動してシャッタ４０を回動させて、下部換気用吸込部７ｂの換気用吸込口３６を開放させる。
【００７３】
換気シロッコファン９が回転し、換気用吸込口３６が開放されると、図１２（ａ）、（ｂ）に示すように、フロントパネル５の換気用吸込口５ａを介して、換気用吸込口３６から浴室４３の空気が吸込まれる。換気用吸込口３６から吸込まれた空気は換気用吸込風路３８を通り、換気シロッコファン９によって換気ファンケース１１内に吸込まれる。
【００７４】
また、同時に、換気シロッコファン９の回転によって、洗面所４２の空気が他室排気ダクト４６を介して他室排気吸込口２ｃへと導かれ、他室排気吸込口２ｃへと導かれた空気は、他室排気吸込風路１８を通って換気ファンケース１１内に吸込まれる。
【００７５】
換気ファンケース１１内に吸込まれた空気は、換気ファンケース１１内に形成された導通路１２を通って導通路１２の出口となる側部開口１１ｃ方向へと導かれる。導通路１２を側部開口１１ｃ方向へと通過する気流は、凸状部１１ｂあたりから通路幅の拡幅が大きくなるので風速が増大する。
【００７６】
図１３は、導通路１２における正圧・負圧分布を示した図である。図に示すように、導通路１２の上流側であって導通路１２の内側壁周縁部の気流は正圧となる傾向があり、一方で導通路１２の下流側に位置する凸状部１１ｂの換気シロッコファン９寄りの部分では、気流が負圧となる傾向がある。換気シロッコファン９の回転に伴って換気ファンケース１１内に吸い込まれた空気は、気流が正圧から負圧へと変化する従って気流の乱れを生じやすくなる。
【００７７】
ここで、第２換気整流部材１５ｂは、図５、図１３に示すように、気流が正圧から負圧へと変化する導通路１２の境界部分に設置されており、第２換気整流部材１５ｂをこの境界部分に設置することによって、導通路１２を流れる空気が正圧から負圧へと変化して気流が乱れることを防止し、整流された気流を側部開口１１ｃへと導くことが可能となる。
【００７８】
特に、図１０に示すように、第１他室排気ダクト４６ａおよび第２他室排気ダクト４６ｂ、排気ダクト５０等の長さが長くなる場合には、導通路１２内の排気圧損が高くなって円滑な排気が行われなくなる可能性があり、結果として気流の乱れが生じて騒音が発生するおそれがある。このため、第２換気整流部材１５ｂを、気流が正圧から負圧へと変化する位置に設置することによって、より効果的に導通路１２の整流を行うことが可能となり、騒音が発生を抑制することができる。
【００７９】
また、第２換気整流部材１５ｂは、換気ファンケース本体部１１ｄの側壁面とほぼ並行に設置されているので、第２換気整流部材１５ｂによって整流された空気は、換気ファンケース本体部１１ｄの側壁面に平行な気流へと整流されて側部開口１１ｃへと導かれることとなる。
【００８０】
なお、換気ファンケース本体部１１ｄの側壁面は平面視で直線状となっており、第２換気整流部材１５ｂも同様に直線状に形成されているので、高い整流効果を奏することが可能である。また、本実施形態では、第２換気整流部材１５ｂが換気ファンケース本体部１１ｄの側壁面に対して所定の間隔を保つ構成としたが、第２換気整流部材１５ｂが換気ファンケース本体部１１ｄの側壁面に対して所定の角度を持っていてもよい。所定の角度を持って第２換気整流部材１５ｂが形成される場合には、空気が換気ファンケース本体部１１ｄの側壁面に対して所定の角度方向へと整流されて排出されることとなるので、同様に高い整流効果を得ることが可能である。
【００８１】
なお、第２換気整流部材１５ｂが換気ファンケース本体部１１ｄの側壁面に対して所定の間隔を保つ構成であればよいため、換気ファンケース本体部１１ｄの側壁面が曲面状であって平面視で曲線状に形成される場合には、第２換気整流部材１５ｂも曲面状に形成される。曲面状に形成される場合にも同様に、第２換気整流部材１５ｂによって整流された空気が、換気ファンケース本体部１１ｄの側壁面に平行な気流へと整流されて側部開口１１ｃへと導かれることとなるので、高い整流効果を得ることが可能である。
【００８２】
さらに、第１換気整流部材１５ａが、凸状部１１ｂの内壁下面であって換気シロッコファン９寄りの位置に設けられているため、換気シロッコファン９の回転により凸状部１１ｂへと吹き込まれた空気が、凸状部１１ｂ近傍において負圧を増大させて気流の乱れを発生させてしまうことを第１換気整流部材１５ａによって抑制することができ、凸状部１１ｂにおける整流を効果的に行うことができる。
【００８３】
特に、換気シロッコファン９が回転すると、換気ファンケース本体部１１ｄの換気ファン吸込口１１ｇより吸込まれた空気が、導通路１２の下面方向に向かって吹き込まれることから、凸状部１１ｂの下面近傍が特に負圧となりやすい。第１換気整流部材１５ａは、負圧となりやすい凸状部１１ｂの内壁下面に設けられているので、気流の乱れが生じやすい凸状部１１ｂの下面近傍であって、換気シロッコファン９近傍の気流を積極的に整流することができ、凸状部１１ｂにおける騒音の発生を効果的に低減させることができる。
【００８４】
また、第１換気整流部材１５ａは、第２換気整流部材１５ｂの延設方向に重ならないようにして配設されているので、第２換気整流部材１５ｂにより整流された空気の流れを、第１換気整流部材１５ａで阻害することなく側部開口１１ｃへと誘導することが可能となる。
【００８５】
さらに、第１換気整流部材１５ａの高さは、第２換気整流部材１５ｂの高さよりも低くなるように調整されているので、第２換気整流部材１５ｂにより導通路１２の上流における大きな気流の流れを整流し、第１換気整流部材１５ａにより、凸状部１１ｂの換気シロッコファン９近傍であって導通路１２の下面方向へと吹き出される局所的な空気の乱れを効果的に整流させることができる。
【００８６】
また、第１換気整流部材１５ａおよび第２換気整流部材１５ｂの断面形状が尾翼形状により構成されているので、第１換気整流部材１５ａおよび第２換気整流部材１５ｂに対する気流の空気抵抗を低減させることができ、風切り音等の騒音を低減させることが可能となる。
【００８７】
このようにして、導通路１２を流れる空気は、第１換気整流部材１５ａおよび第２換気整流部材１５ｂによって整流された状態で側部開口１１ｃを介して排気案内部１１ａへと導かれる。その後、排気案内部１１ａにより形成される排気風路１７から排気口２ｂを通って、排気ダクト３７へと流れて行き、排気グリル３８を介して屋外へと排気される。
【００８８】
換気ファンユニット６による浴室４３内の空気の吸入により、浴室４３内の空気が屋外に排気されるので、浴室ドア５３に設けた空気取入口５３ａから洗面所４２の空気が吸込まれることとなる。このように、換気運転モードで浴室空調装置１を稼働させることにより、浴室４３内の湯気や湿気を積極的に屋外へ排気することができるので、浴室４３の結露等を抑制することができ、カビの発生を抑えることが可能となる。
【００８９】
また、浴室空調装置１によって２４時間運転モードでの運転が行われる場合においても、制御部６０は、上述した換気運転モードの動作と同様に、循環ファンモータ２６を停止させるとともに傾動板材３０ａで補助開口３０を閉塞させ、さらに、換気ファンモータとを駆動させるとともにシャッタ４０を回動させて換気用吸込口３６を開放させる。
【００９０】
このように制御部６０が、２４時間換気運転モードの運転を開始する場合には、上述した換気運転モードと同様に空気が流れることとなり、建物内の換気を行うことが可能となる。このように２４時間換気を行う場合であっても、第１換気整流部材１５ａおよび第２換気整流部材１５ｂによって、排気ファンケース本体１１内の気流を整流させることができるので、換気ファンユニット６における騒音の発生を抑制することが可能となる。
【００９１】
なお、２４時間換気運転モードでは、通常は換気ファンユニット６の換気ファンモータ１０が連続稼働されて常時換気が行われることとなるが、法規上、建物の換気回数として０．５回／時間の換気を実現できればよいので、この要件を満たす程度に換気ファンユニット６を断続稼働する構成としてもよい。
【００９２】
また、２４時間換気は必ずしも浴室４３だけの換気を目的とするものではないので、例えば、２４時間換気モードにより浴室空調装置１を稼働させる場合に、シャッタ４０の回動角度を少なくして換気用吸込口３６の開放量を少なくしてもよい。このように、換気用吸込口３６の開放量を少なくすることによって、浴室４３から吸入される風量よりも第１他室排気ダクト４６ａおよび第２他室排気ダクト４６ｂを介して他室より吸入される風量の方が多くなるので、建物全体の換気効率を向上させることが可能となる。
【００９３】
また、２４時間換気モードによる運転を行う場合には、換気ファンユニット６の換気シロッコファン９の回転時間が昼夜問わず長くなる傾向にあるため、換気シロッコファン９の回転速度を遅くすることによって騒音の発生を抑制することも可能である。
【００９４】
さらに、浴室空調装置１に複数の他室排気吸込口２ｃが設けられている場合には、他室排気ダクト接続部４７等に電動式のシャッタ等を設けて、シャッタの開度を変更するようにしてもよい。このようにシャッタの開度を変更することによって、他室より吸込まれる空気の量を調整することができ、住宅全体で換気される風量を所定の量に保つことが可能となる。
【００９５】
＜暖房モードについて＞
図１４（ａ）（ｂ）は暖房運転モード時の浴室空調装置１の動作状態と矢印で表した空気の流れとを示した図である。操作パネル５５において利用者により暖房モードボタン５５ｂが押下されて、暖房運転モードが選択されると、制御部６０は暖房運転モードによる制御動作を実行する。
【００９６】
具体的に、制御部６０は、換気ファンモータ１０を停止させて換気シロッコファン９の回転を止める。また、制御部６０は、シャッタ４０用のモータ４１を駆動させてシャッタ４０を回動させ、下部換気用吸込部７ｂの換気用吸込口３６を閉塞させる。さらに、制御部６０は、循環ファンモータ２６を駆動させて循環シロッコファン２５を回転させると共にヒータ２１を通電させる。
【００９７】
循環シロッコファン２５が回転すると、図１４（ａ）、（ｂ）に示すように、フロントパネル５の循環用吸込口５ｂを介して、循環用吸込口２７ｇから浴室４３の空気が吸込まれる。循環用吸込口２７ｇから吸込まれた空気は、循環シロッコファン２５によって循環ファンケース２７内に吸込まれる。
【００９８】
循環ファンケース２７内に吸込まれた空気は、循環ファンケース２７内に形成された導通路２８を通って導通路２８の出口となる側部開口２７ｃ方向へと導かれる。導通路２８を側部開口２７ｃ方向へと通過する気流は、凸状部２７ｂあたりから通路幅の拡幅が大きくなるので、排気圧損が低くなって風速が増大する。
【００９９】
ここで、第２循環整流部材３５ｂは、第２換気整流部材１５ｂと同様に、気流が正圧から負圧へと変化する導通路２８の境界部分に設置されており、第２循環整流部材３５ｂをこの境界部分に設置することによって、導通路２８を流れる空気が正圧から負圧へと変化して気流が乱れることを防止し、整流された気流を側部開口２７ｃへと導くことが可能となる。
【０１００】
また、第２循環整流部材３５ｂは、循環ファンケース本体部２７ｄの側壁面とほぼ並行に設置されているので、第２循環整流部材３５ｂによって整流された空気は、循環ファンケース本体部２７ｄの側壁面に平行な気流へと整流されて側部開口２７ｃへと導かれることとなる。
【０１０１】
なお、循環ファンケース本体部２７ｄの側壁面は平面視で直線状となっており、第２循環整流部材３５ｂも同様に直線状に形成されているので、高い整流効果を奏することが可能である。また、本実施形態では、第２循環整流部材３５ｂが循環ファンケース本体部２７ｄの側壁面に対して所定の間隔を保つ構成としたが、第２循環整流部材３５ｂが循環ファンケース本体部２７ｄの側壁面に対して所定の角度を持っていてもよい。所定の角度を持って第２循環整流部材３５ｂが形成される場合には、空気が循環ファンケース本体部２７ｄの側壁面に対して所定の角度方向へと整流されて排出されることとなるので、同様に高い整流効果を得ることが可能である。
【０１０２】
なお、第２循環整流部材３５ｂが循環ファンケース本体部２７ｄの側壁面に対して所定の間隔を保つ構成であればよいため、循環ファンケース本体部２７ｄの側壁面が曲面状であって平面視で曲線状に形成される場合には、第２循環整流部材３５ｂも曲面状に形成される。曲面状に形成される場合にも同様に、第２循環整流部材３５ｂによって整流された空気が、循環ファンケース本体部２７ｄの側壁面に平行な気流へと整流されて側部開口２７ｃへと導かれることとなるので、高い整流効果を得ることが可能である。
【０１０３】
さらに、第１循環整流部材３５ａが凸状部２７ｂの内壁上面であって循環シロッコファン２７寄りの位置に設けられているため、循環シロッコファン２７の回転より凸状部２７ｂへと吹き込まれた空気が、凸状部２７ｂ近傍において負圧を増大させて気流の乱れを発生させてしまうことを、第１循環整流部材３５ａによって抑制することができ、凸状部２７ｂにおける整流を効果的に行うことができる。
【０１０４】
特に、循環シロッコファン２７が回転すると、循環ファンケース本体部２７ｄの循環用吸込口２７ｇより吸込まれた空気が、導通路２８の上面方向に向かって吹き込まれることから、凸状部２７ｂの上面近傍が特に負圧となりやすい。第１循環整流部材３５ａは、負圧となりやすい凸状部１１ｂの内壁上面に設けられているので、気流の乱れが生じやすい凸状部２７ｂの上面近傍であって、循環シロッコファン２７近傍の気流を積極的に整流することができ、凸状部２７ｂにおける騒音の発生を効果的に低減させることができる。
【０１０５】
また、第１循環整流部材３５ａは、第２循環整流部材３５ｂの延設方向に重ならないようにして配設されているので、第２循環整流部材３５ｂにより整流された空気の流れを、第１循環整流部材３５ａで阻害することなく側部開口２７ｃへと誘導することが可能となる。
【０１０６】
さらに、第１循環整流部材３５ａの高さは、第２循環整流部材３５ｂの高さよりも低くなるように調整されているので、第２循環整流部材３５ｂにより導通路２８の上流における大きな気流の流れを整流し、第１循環整流部材３５ａにより、凸状部２７ｂの循環シロッコファン２７近傍であって導通路２８の上面方向へと吹き出される局所的な空気の乱れを効果的に整流させることができる。
【０１０７】
また、第１循環整流部材３５ａおよび第２循環整流部材３５ｂの断面形状が尾翼形状により構成されているので、第１循環整流部材３５ａおよび第２循環整流部材３５ｂに対する気流の空気抵抗を低減させることができ、風切り音等の騒音を低減させることが可能となる。
【０１０８】
このようにして導通路２８を流れる空気は、第１循環整流部材３５ａおよび第２循環整流部材３５ｂによって整流された状態で側部開口２７ｃを介して循環案内部２７ａへと導かれる。その後、循環案内部２７ａへと導かれた空気は、循環案内部２７ａに設けられたヒータ２１により暖められた後に、吹出口２３およびフロントパネル５の吹出口５ｃを介して浴室４３内に吹出される。
【０１０９】
このように、浴室空調装置１を暖房運転モードで動作させることにより、浴室４３内の空気を循環させながら暖房して、浴室内の温度を上げることができる。浴室空調装置１を暖房運転モードで動作させることによって、浴室４３内をあらかじめ暖めておくこと（いわゆる予備暖房）ができるので、入浴開始時に利用者が寒さを感じることなく快適に入浴を行うことが可能となる。また、入浴の最中に浴室４３内に吹き出す温風量を少なくして浴室４３を暖めること（いわゆる入浴暖房）によって、洗場４３ｂで体を洗う場合等においても利用者が寒さを感じることなく快適に入浴を行うことができる。
【０１１０】
なお、上述実施形態では、換気ファンモータ１０を停止させて換気シロッコファン９は回転させないこととしたが、洗面所４２等の他室から吸込んだ空気を排気するために、シャッタ４０で換気用吸込口３６を閉塞した状態で換気シロッコファン９を回転させるようにしてもよい。換気用吸込口３６を閉塞した状態で換気シロッコファン９を回転させることにより、浴室４３内の暖められた空気は換気ファンユニット６で吸い込まれにくくなるので、暖かい空気が浴室４３外に逃げることを防止することができる。
【０１１１】
＜乾燥モードおよび涼風モードについて＞
図１５（ａ）、（ｂ）は、乾燥運転モード時の浴室空調装置１の動作状態と矢印で表した空気の流れとを示した図である。操作パネル５５において利用者により乾燥モードボタン４２ｄが押下されて、乾燥運転モードが選択されると、制御部６０は乾燥運転モードによる制御動作を実行する。
【０１１２】
具体的に、制御部６０は、換気ファンモータ１０を駆動させて換気シロッコファン９を回転させる。また、制御部６０は、シャッタ用のモータ４１を駆動させてシャッタ４０を回動させ、下部換気用吸込部７ｂの換気用吸込口３６を開放させる。さらに、制御部６０は、循環ファンモータ２６を駆動させて循環シロッコファン２５を回転させると共にヒータ２１を通電させる。
【０１１３】
換気シロッコファン９が回転し、換気用吸込口３６が開放されると、図１５（ａ）、（ｂ）に示すように、フロントパネル５の換気用吸込口５ａを介して、換気用吸込口３６から浴室４３の空気が吸込まれる。換気用吸込口３６から吸込まれた空気は、換気用吸込風路３８を通り、換気シロッコファン９によって換気ファンケース１１内に吸込まれる。
【０１１４】
また、同時に、換気シロッコファン９の回転によって、洗面所４２の空気が他室排気ダクト４６を介して他室排気吸込口２ｃに導かれ、他室排気吸込口２ｃへと導かれた空気は、他室排気吸込風路１８を通って換気ファンケース１１内に吸込まれる。
【０１１５】
換気ファンケース１１内に吸込まれた空気は、換気ファンケース１１内に形成された導通路１２を通って導通路１２の出口となる側部開口１１ｃ方向へと導かれる。導通路１２を側部開口１１ｃ方向へと流れ気流は、凸状部１１ｂあたりから通路幅の拡幅が大きくなるので、排気圧損が低くなって風速が増大する。
【０１１６】
ここで、第２換気整流部材１５ｂは、図５、図１３に示すように、気流が正圧から負圧へと変化する導通路１２の境界部分に設置されており、第２換気整流部材１５ｂをこの境界部分に設置することによって、導通路１２を流れる空気が正圧から負圧へと変化して気流が乱れることを防止し、整流された気流を側部開口１１ｃへと導くことが可能となる。
【０１１７】
特に、図１０に示すように、第１他室排気ダクト４６ａおよび第２他室排気ダクト４６ｂ、排気ダクト５０等の長さが長くなる場合には、導通路１２内の排気圧損が高くなって円滑な排気が行われなくなる可能性があり、結果として気流の乱れが生じて騒音が発生するおそれがある。このため、第２換気整流部材１５ｂを、気流が正圧から負圧へと変化する位置に設置することによって、より効果的に導通路１２の整流を行うことが可能となり、騒音が発生を抑制することができる。
【０１１８】
また、第２換気整流部材１５ｂは、換気ファンケース本体部１１ｄの側壁面とほぼ並行に設置されているので、第２換気整流部材１５ｂによって整流された空気は、換気ファンケース本体部１１ｄの側壁面に平行な気流へと整流されて側部開口１１ｃへと導かれることとなる。
【０１１９】
さらに、第１換気整流部材１５ａが、凸状部１１ｂの内壁下面であって換気シロッコファン９寄りの位置に設けられているため、換気シロッコファン９の回転により凸状部１１ｂへと吹き込まれた空気が、凸状部１１ｂ近傍において負圧を増大させて気流の乱れを発生させてしまうことを第１換気整流部材１５ａによって抑制することができ、凸状部１１ｂにおける整流を効果的に行うことができる。
【０１２０】
特に、換気シロッコファン９が回転すると、換気ファンケース本体部１１ｄの換気ファン吸込口１１ｇより吸込まれた空気が、導通路１２の下面方向に向かって吹き込まれることから、凸状部１１ｂの下面近傍が特に負圧となりやすい。第１換気整流部材１５ａは、負圧となりやすい凸状部１１ｂの内壁下面に設けられているので、気流の乱れが生じやすい凸状部１１ｂの下面近傍であって、換気シロッコファン９近傍の気流を積極的に整流することができ、凸状部１１ｂにおける騒音の発生を効果的に低減させることができる。
【０１２１】
また、第１換気整流部材１５ａは、第２換気整流部材１５ｂの延設方向に重ならないようにして配設されているので、第２換気整流部材１５ｂにより整流された空気の流れを、第１換気整流部材１５ａで阻害することなく側部開口１１ｃへと誘導することが可能となる。
【０１２２】
さらに、第１換気整流部材１５ａの高さは、第２換気整流部材１５ｂの高さよりも低くなるように調整されているので、第２換気整流部材１５ｂにより導通路１２の上流における大きな気流の流れを整流し、第１換気整流部材１５ａにより、凸状部１１ｂの換気シロッコファン９近傍であって導通路１２の下面方向へと吹き出される局所的な空気の乱れを効果的に整流させることができる。
【０１２３】
また、第１換気整流部材１５ａおよび第２整流板５ｂの断面形状が尾翼形状により構成されているので、第１換気整流部材１５ａおよび第２換気整流部材１５ｂに対する気流の空気抵抗を低減させることができ、風切り音等の騒音を低減させることが可能となる。
【０１２４】
このようにして、導通路１２を流れる空気は、第１換気整流部材１５ａおよび第２換気整流部材１５ｂによって整流された状態で側部開口１１ｃを介して排気案内部１１ａへと導かれる。その後、排気案内部１１ａにより形成される排気風路１７から排気口２ｂを通って、排気ダクト５０へと流れて行き、排気グリル４９を介して屋外へと排気される。
【０１２５】
一方で、循環シロッコファン２５が回転すると、フロントパネル５の循環用吸込口５ｂを介して、図１５（ａ）、（ｂ）に示すように、循環用吸込口２７ｇから浴室４３の空気が吸込まれる。循環用吸込口２７ｇから吸込まれた空気は、循環シロッコファン２５によって循環ファンケース２７内に吸込まれる。
【０１２６】
循環ファンケース２７内に吸込まれた空気は、循環ファンケース２７内に形成された導通路２８を通って導通路２８の出口となる側部開口２７ｃ方向へと導かれる。導通路２８を側部開口２７ｃ方向へと通過する気流は、凸状部２７ｂ近傍から通路幅の拡幅が大きくなるので、排気圧損が低くなって風速が増大する。
【０１２７】
ここで、第２循環整流部材３５ｂは、第２換気整流部材１５ｂと同様に、気流が正圧から負圧へと変化する導通路２８の境界部分に設置されており、第２循環整流部材３５ｂをこの境界部分に設置することによって、導通路２８を流れる空気が正圧から負圧へと変化して気流が乱れることを防止し、整流された気流を側部開口２７ｃへと導くことが可能となる。
【０１２８】
また、第２循環整流部材３５ｂは、循環ファンケース本体部２７ｄの側壁面とほぼ並行に設置されているので、第２循環整流部材３５ｂによって整流された空気は、循環ファンケース本体部２７ｄの側壁面に平行な気流へと整流されて側部開口２７ｃへと導かれることとなる。
【０１２９】
さらに、第１循環整流部材３５ａが凸状部２７ｂの内壁上面であって循環シロッコファン２７寄りの位置に設けられているため、循環シロッコファン２７の回転より凸状部２７ｂへと吹き込まれた空気が、凸状部２７ｂ近傍において負圧を増大させて気流の乱れを発生させてしまうことを第１循環整流部材３５ａによって抑制することができ、凸状部２７ｂにおける整流を効果的に行うことができる。
【０１３０】
特に、循環シロッコファン２７が回転すると、循環ファンケース本体部２７ｄの循環用吸込口２７ｇより吸込まれた空気が、導通路２８の上面方向に向かって吹き込まれることから、凸状部２７ｂの上面近傍が特に負圧となりやすい。第１循環整流部材３５ａは、負圧となりやすい凸状部２７ｂの内壁上面に設けられているので、気流の乱れが生じやすい凸状部２７ｂの上面近傍であって、循環シロッコファン２７近傍の気流を積極的に整流することができ、凸状部２７ｂにおける騒音の発生を効果的に低減させることができる。
【０１３１】
また、第１循環整流部材３５ａは、第２循環整流部材３５ｂの延設方向に重ならないようにして配設されているので、第２循環整流部材３５ｂにより整流された空気の流れを、第１循環整流部材３５ａで阻害することなく側部開口２７ｃへと誘導することが可能となる。
【０１３２】
さらに、第１循環整流部材３５ａの高さは、第２循環整流部材３５ｂの高さよりも低くなるように調整されているので、第２循環整流部材３５ｂにより導通路２８の上流における大きな気流の流れを整流し、第１循環整流部材３５ａにより、凸状部２７ｂの循環シロッコファン２７近傍であって導通路２８の上面方向へと吹き出される局所的な空気の乱れを効果的に整流させることができる。
【０１３３】
また、第１循環整流部材３５ａおよび第２循環整流部材３５ｂの断面形状が尾翼形状により構成されているので、第１循環整流部材３５ａおよび第２循環整流部材３５ｂに対する気流の空気抵抗を低減させることができ、風切り音等の騒音を低減させることが可能となる。
【０１３４】
このようにして導通路２８を流れる空気は、第１循環整流部材３５ａおよび第２循環整流部材３５ｂによって整流された状態で側部開口２７ｃを介して循環案内部２７ａへと導かれる。その後、循環案内部２７ａへと導かれた空気は、循環案内部２７ａに設けられたヒータ２１により暖められた後に、吹出口２３およびフロントパネル５の吹出口５ｃを介して浴室４３内に吹出される。
【０１３５】
このように、浴室空調装置１を乾燥モードで動作させることによって、換気ユニット３により浴室４３内の空気を屋外に排出させつつ、循環ユニット４で浴室４３内を暖めることができるので、浴室４３内のランドリパイプ５２に吊した衣類の乾燥等を行うことが可能となる。また、浴室４３内の空気の一部が屋外に排気され、空気取入口５３ａから洗面所４２等の空気を取り込むことによって浴室４３内の換気が行われるので、湿気等を排出して、洗濯物の乾燥を促進することができる。
【０１３６】
なお、利用者によって操作パネル５５の涼風モードボタン５５ｃが押下されて、涼風運転モードが選択された場合、制御部６０は、ヒータ２１が停止される以外、上述した乾燥運転モードと同様の制御動作を実行する。このため、浴室空調装置１が涼風運転モードにより動作された場合であっても、上述した乾燥運転モードによる動作と同じように、第１換気整流部材１５ａ、第２換気整流部材１５ｂ、第１循環整流部材３５ａ、第２循環整流部材３５ｂにより気流の整流を行うことができるので、換気ファンユニット６および循環ファンユニット２０における騒音の発生を抑制することが可能となる。
【０１３７】
また、涼風運転モードにより浴室空調装置１が稼働されることによって、浴室３２内の湿度の高い空気を排気し、浴室３２内の空気を循環させながら浴室３２内の温度に応じた涼風を吹き出すことができるので、浴室空調装置１を夏場等に扇風機として使用することが可能となる。
【０１３８】
以上説明したように、本発明に係る送風装置を備えた浴室空調装置１では、第２換気整流部材１５ｂおよび第２循環整流部材３５ｂが、気流が正圧から負圧へと変化する導通路１２、２８の境界部分に設置されているので、導通路１２、２８を流れる気流が正圧から負圧へと変化して気流が乱れることを防止することができる。このため、第２換気整流部材１５ｂおよび第２循環整流部材３５ｂにより効果的に整流を行うことができ、導通路１２、２８の気流の乱れにより生ずる騒音の発生を抑制することが可能となる。
【０１３９】
また、第２換気整流部材１５ｂは、その側面と換気ファンケース本体部１１ｄの側壁面とが一定（所定）の間隔を保つようにして形成されて、第２換気整流部材１５ｂの側面と換気ファンケース本体部１１ｄの側壁面とがほぼ並行に設置され、第２循環整流部材３５ｂは、その側面と循環ファンケース本体部２７ｄの側壁面とが一定（所定）の間隔を保つようにして形成されて、第２循環整流部材３５ｂの側面と循環ファンケース本体部２７ｄの側壁面とがほぼ並行に設置されているので、第２換気整流部材１５ｂおよび第２循環整流部材３５ｂによって整流された空気は、ファンケース本体部の側壁面にほぼ平行な気流へと整流されて側部開口１１ｃ、２７ｃへと導かれることとなる。
【０１４０】
特に、図１０に示すように、第１他室排気ダクト４６ａおよび第２他室排気ダクト４６ｂ、排気ダクト５０等の長さが長くなる場合には、導通路１２内の排気圧損が高くなって円滑な排気が行われなくなる可能性があり、結果として気流の乱れが生じて騒音が発生するおそれがある。このため、第２換気整流部材１５ｂを、気流が正圧から負圧へと変化する位置に設置することによって、より効果的に導通路１２の整流を行うことが可能となり、騒音が発生を抑制することができる。
【０１４１】
さらに、第１換気整流部材１５ａが凸状部１１ｂの内壁下面であって換気シロッコファン９寄りの位置に設けられて、第１循環整流部材３５ａが凸状部２７ｂの内壁上面であって循環シロッコファン２７寄りの位置に設けられているので、換気シロッコファン９および循環シロッコファンの回転により、凸状部１１ｂ、２７ｂ近傍で負圧が増大して気流が乱れてしまうことを第１換気整流部材１５ａおよび第１循環整流部材３５ａで抑制することができ、凸状部１１ｂ、２７ｂにおける整流を効果的に行うことができる。
【０１４２】
特に、換気シロッコファン９が回転すると、換気ファンケース本体部１１ｄの換気ファン吸込口１１ｇより吸込まれた空気が、導通路１２の下面方向に向かって吹き込まれることから、凸状部１１ｂの下面近傍が特に負圧となりやすい。第１換気整流部材１５ａは、負圧となりやすい凸状部１１ｂの内壁下面に設けられているので、気流の乱れが生じやすい凸状部１１ｂの下面近傍であって、換気シロッコファン９近傍の気流を積極的に整流することができ、凸状部１１ｂにおける騒音の発生を効果的に低減させることができる。
【０１４３】
また同様に、循環シロッコファン２７が回転すると、循環ファンケース本体部２７ｄの循環用吸込口２７ｇより吸込まれた空気が、導通路２８の上面方向に向かって吹き込まれることから、凸状部２７ｂの上面近傍が特に負圧となりやすい。第１循環整流部材３５ａは、負圧となりやすい凸状部１１ｂの内壁上面に設けられているので、気流の乱れが生じやすい凸状部２７ｂの上面近傍であって、循環シロッコファン２７近傍の気流を積極的に整流することができ、凸状部２７ｂにおける騒音の発生を効果的に低減させることができる。
【０１４４】
さらに、第１換気整流部材１５ａおよび第１循環整流部材３５ａは、第２換気整流部材１５ｂおよび第２循環整流部材３５ｂの延設方向に重ならないようにして配設されているので、第２換気整流部材１５ｂおよび第２循環整流部材３５ｂにより整流された空気の流れを、第１換気整流部材１５ａおよび第１循環整流部材３５ａで阻害することなく側部開口１１ｃ、２７ｃへと誘導することが可能となる。
【０１４５】
また、第１換気整流部材１５ａおよび第１循環整流部材３５ａの高さは、第２換気整流部材１５ｂおよび第２循環整流部材３５ｂの高さよりも低くなるように調整されているので、第２換気整流部材１５ｂおよび第２循環整流部材３５ｂにより導通路１２、２８の上流における大きな気流の流れを整流し、第１換気整流部材１５ａおよび第１循環整流部材３５ａにより、凸状部１１ｂ、２７ｂのシロッコファン近傍であって導通路１２の下面方向および導通路２８の上面方向へと吹き出される局所的な空気の乱れを効果的に整流させることができる。
【０１４６】
さらに、第１換気整流部材１５ａ、第２換気整流部材１５ｂ、第１循環整流部材３５ａ、第２循環整流部材３５ｂの断面形状が尾翼形状により構成されているので、第１換気整流部材１５ａ、第２換気整流部材１５ｂ、第１循環整流部材３５ａ、第２循環整流部材３５ｂに対する気流の空気抵抗を低減させることができ、風切り音等の騒音を低減させることが可能となる。
【０１４７】
以上、浴室空調装置１の実施形態を、運転モード毎に場合分けをして説明したが、本発明に係る送風装置は上述した実施形態に限定されるものではない。いわゆる当業者であれば、特許請求の範囲に記載された範疇内において各種の変更例または修正例に想到しうることは明らかであり、それらについても当然に本発明の技術的範囲に属するものと了解される。
【０１４８】
例えば、本実施形態では、第１換気整流部材１５ａおよび第２換気整流部材１５ｂを１枚ずつ単一に設置し、同様に、第１循環整流部材３５ａおよび第２循環整流部材３５ｂを１枚ずつ単一に設置した例を示して説明を行ったが、第１換気整流部材１５ａ、第２換気整流部材１５ｂ、第１循環整流部材３５ａ、第２循環整流部材３５ｂは、必ずしもそれぞれ単一である必要はなく、複数設定されているものであってもよい。
【０１４９】
また、上述した実施形態では、第１換気整流部材１５ａおよび第２換気整流部材１５ｂを換気ファンケース本体部１１ｄの内壁底面のみに形成し、第１循環整流部材３５ａおよび第２循環整流部材３５ｂを循環ファンケース本体部２７ｄの内壁上面のみに形成する構成としたが、整流部材は必ずしも換気ファンケース本体部１１ｄの内壁底面および循環ファンケース本体部２７ｄの内壁上面のみ限定されるものではなく、図１６に示すように、換気ファンケース本体部１１ｄおよび循環ファンケース本体部２７ｄの上下面にそれぞれ設置する構成としてもよい。
【０１５０】
第１他室排気ダクト４６ａや第２他室排気ダクト４６ｂ、排気ダクト５０のように連結されるダクトの長さが長くなる場合には、導通路１２内の排気圧損が高くなって円滑な排気が行われなくなる傾向がある。このような場合には、シロッコファンの回転によりファンケース本体部の上面又は下面のみの一方だけでなく、ファンケース本体部の上下面において気流の乱れが生じるおそれがあるため、ファンケース本体部の上面又は下面のみに整流部材を設置しただけでは十分な整流効果を奏することができないおそれがある。このため、上述したように、換気ファンケース本体部１１ｄおよび循環ファンケース本体部２７ｄの上下面にそれぞれ整流部材を設置することによって、積極的に気流の乱れが抑制することができ、効果的な導通路の整流によって騒音が発生を抑制することが可能となる。
【０１５１】
さらに、整流部材をファンケース本体部の上下面に設置する場合には、上述した浴室空調装置１のように、整流部材の設置位置をファンケース本体部の凸状部とその上流位置とに限定する必要はなく、図１７に示すように、整流部材１５ｂを導通路の幅方向に複数配設させる構成にすることも可能である。このように整流部材を配設させることによって、導通路内の排気圧損が高くなって円滑な排気が行われなくなおそれがある場合であっても、円滑に気流の乱れを抑制し、騒音の発生を低減させることが可能となる。
【０１５２】
また、第１換気整流部材１５ａを、換気ファンケース本体部１１ｄの下面から上方に進むに従って、徐々に換気シロッコファン９方向に反り返るように、又は傾斜するように形成し、また、第１循環整流部材３５ａを、循環ファンケース本体部２７ｄの上面から下方に進むに従って、徐々に循環シロッコファン２５方向に反り返るように、又は傾斜するように形成してもよい。
【０１５３】
第１換気整流部材１５ａを、換気ファンケース本体部１１ｄの下面から上方に進むに従って、徐々に換気シロッコファン９方向に反り返るように、又は傾斜するように形成し、第１循環整流部材３５ａを、循環ファンケース本体部２７ｄの上面から下方に進むに従って、徐々に循環シロッコファン２７方向に反り返るように、又は傾斜するように形成することによって、換気シロッコファン９および循環シロッコファン２７の回転に伴って第１換気整流部材１５ａおよび第１循環整流部材３５ａの側面方向より導通路１２、２８に導入される空気が、第１換気整流部材１５ａおよび第１循環整流部材３５ａの端部で空気の乱れを生ずることなく第１換気整流部材１５ａおよび第１循環整流部材３５ａの延設方向へと導かれ易くなり、導通路１２、２８より流れてくる空気と相まって円滑に側部開口１１ｃ、２７ｃへと導くことが可能となる。
【０１５４】
さらに、上記実施形態では、ユニット化された循環ファンユニット２０および換気ファンユニット６を用いて説明を行ったが、ファンは必ずしもユニット化されたものに限定されるものではなく、ファン、モータ等が別体に構成されるものであってもよい。さらに、上記実施形態では、送風用のファンとしてシロッコファンを用いる場合について説明を行ったが、ファンは必ずしもシロッコファンに限定されるものではなく、ラジアルファンのような多翼ファンを用いるものであってもよい。
【０１５５】
また、上記実施形態では、換気ユニット３を循環ユニット４の上側に配置した構成例を示して説明を行ったが、本発明に係る送風装置は、循環ユニット４が換気ユニット３の上側に配置される構成としてもよい。
【０１５６】
さらに、上記実施形態では、循環ユニット４と換気ユニット３とを用いて空気の換気と循環とを別々のファンユニットで行う浴室空調装置１を説明したが、換気ファンユニット６と循環ファンユニット２０とを１台のファンユニットで兼用し、ダンパー等を用いて空気の換気および循環を制御する構造としてもよい。このような構造とした場合であっても、補助開口１３、３０を設けて外気を吸入することにより、ファンユニットの吸入風量を増大させることが可能となる。
【０１５７】
また、上記実施形態に示した浴室空調装置１は、換気シロッコファン９の回転軸１０ａと循環シロッコファン２５の回転軸２６ａとを鉛直向きに配置する構成としたが、換気シロッコファン９の回転軸１０ａと循環シロッコファン２５の回転軸２６ａとを水平向きに配置する構成にしてもよい。
【０１５８】
さらに、上記実施形態に示した浴室空調装置１は、換気ファンユニット６と循環ファンユニット２０とを上下に配置する構成としたが、換気ファンユニット６と循環ファンユニット２０とを左右に配置する構成にしてもよい。
【０１５９】
また、上述した実施形態では浴室用空調装置についての説明を行ったが、本発明に係る送風装置は浴室用の空調装置に限定されるものではなく、浴室以外に用いられる空調装置であってもよい。
【図面の簡単な説明】
【０１６０】
【図１】実施形態に係る浴室空調装置を示す斜視図である。
【図２】図１に示す浴室空調装置のＡ−Ａ断面を示す側方断面図である。
【図３】図１に示す浴室空調装置のＢ−Ｂ断面を示す側方断面図である。
【図４】実施形態に係る換気ユニットが本体ケースに収納された状態を示す側方断面図である。
【図５】図４に示す換気ユニット３を矢印Ｃ方向より示した底面図である。
【図６】実施形態に係る換気ファンユニットの上面部を展開した状態を示す斜視図である。
【図７】実施形態に係る循環ユニットを示す側方断面図である。
【図８】図８に示す循環ユニットを矢印Ｄ方向より示した底面図である。
【図９】実施形態に係る循環ファンユニットの上面部を示す斜視図である。
【図１０】実施形態に係る浴室空調装置を、浴室に設置した状態を示す概略構成図である。
【図１１】（ａ）は、実施形態に操作パネルを示した図であり、（ｂ）は、浴室空調装置の制御機能を示したブロック図である。
【図１２】換気運転モード時における浴室空調装置の動作状態と空気の流れとを示した浴室空調装置の断面図である。
【図１３】換気ファンユニットにおいて換気シロッコファンが回転された状態の導通路の圧力状態を示した図である。
【図１４】暖房運転モード時における浴室空調装置の動作状態と空気の流れとを示した浴室空調装置の断面図である。
【図１５】乾燥運転モード時における浴室空調装置の動作状態と空気の流れとを示した浴室空調装置の断面図である。
【図１６】実施形態に係る換気ファンユニットの上面部および仮面部に第１換気整流部材および第２換気整流部材を設けた様子を示す斜視図である
【図１７】図１６に示す斜視図において、第２換気整流部材を導通路の幅方向に複数配設させた状態を示す斜視図である。
【符号の説明】
【０１６１】
１     …浴室空調装置（送風装置）
２     …本体ケース
２ａ   …フランジ
２ｂ   …排気口
２ｃ   …他室排気吸込口
３     …換気ユニット
４     …循環ユニット
５     …フロントパネル
５ａ   …（フロントパネルの）換気用吸込口
５ｂ   …（フロントパネルの）循環用吸込口
５ｃ   …（フロントパネルの）吹出口
６     …換気ファンユニット（吸入手段）
７ａ   …上部換気用吸込部
７ｂ   …下部換気用吸込部
８     …回路基板部
９     …換気シロッコファン（多翼ファン）
９ａ   …（換気シロッコファンの）主板
９ｂ   …（換気シロッコファンの）翼
１０   …換気ファンモータ
１０ａ  …（換気ファンモータの）回転軸
１１   …換気ファンケース（ファンケース）
１１ａ  …排気案内部
１１ｂ  …（換気ファンケースの）凸状部
１１ｃ  …（換気ファンケースの）側部開口（ファン出口）
１１ｄ  …換気ファンケース本体部
１１ｅ  …（換気ファンケースの）舌状部
１１ｆ  …（換気ファンケースの）円形状空間部
１１ｇ  …換気ファン吸込口
１３ａ  …（第１換気整流部材の）前端部位置
１３ｂ  …（第２換気整流部材の）後端部位置
１２   …（換気ファンケースの）導通路
１５ａ  …（換気ファンケースの）第１換気整流部材（第１整流手段）
１５   …（換気ファンケースの）第２換気整流部材（第２整流手段）
１７   …排気風路
１８   …他室排気吸込風路
２０   …循環ファンユニット（吸入手段）
２１   …ヒータ
２２   …電動室
２３   …（循環ユニットの）吹出口
２５   …循環シロッコファン（多翼ファン）
２５ａ  …（循環シロッコファンの）主板
２５ｂ  …（循環シロッコファンの）翼
２６   …循環ファンモータ
２６ａ  …（循環ファンモータの）回転軸
２７   …循環ファンケース（ファンケース）
２７ａ  …循環案内部
２７ｂ  …（循環ファンケースの）凸状部
２７ｃ  …（循環ファンケースの）側部開口（ファン出口）
２７ｄ  …循環ファンケース本体部
２７ｅ  …（循環ファンケースの）舌状部
２７ｆ  …（循環ファンケースの）円形状空間部
２７ｇ  …循環用吸込口
２８   …（循環ファンケースの）導通路
３３ａ  …（第１循環整流部材の）前端部位置
３３ｂ  …（第２循環整流部材の）後端部位置
３５ａ  …（循環ファンケースの）第１循環整流部材（第１整流手段）
３５ｂ  …（循環ファンケースの）第２循環整流部材（第２整流手段）
３６   …換気用吸込口
３７   …循環風路
３８   …換気用吸込風路
４０   …シャッタ
４０ａ   …シャッタ軸
４０ｃ  …第１駆動ギア
４０ｄ  …第２駆動ギア
４１   …（シャッタの）モータ
４１ａ  …（シャッタのモータの）回転軸
４２   …洗面所
４３   …浴室
４３ａ  …天井パネル
４３ｂ  …洗場
４５   …洗面所排気吸込口
４６ａ  …第１他室排気ダクト
４６ｂ  …第２他室排気ダクト
４７   …他室排気ダクト接続部
４９   …排気グリル
５０   …排気ダクト
５１   …排気ダクト接続部
５２   …ランドリパイプ
５３   …浴室ドア
５３ａ  …空気取入口
５５   …操作パネル
５５ａ  …表示部
５５ｂ  …暖房モードボタン
５５ｃ  …涼風モードボタン
５５ｄ  …換気モードボタン
５５ｅ  …乾燥モードボタン
５５ｆ  …ランプ
５５ｇ  …タイマボタン
５６   …トイレ
５７   …連結ユニット
５８   …トイレ排気吸込口
５９   …リビングルーム
６０   …制御部
【図１】
2008020149.tif 000003
【図２】
2008020149.tif 000004
【図３】
2008020149.tif 000005
【図４】
2008020149.tif 000006
【図５】
2008020149.tif 000007
【図６】
2008020149.tif 000008
【図７】
2008020149.tif 000009
【図８】
2008020149.tif 000010
【図９】
2008020149.tif 000011
【図１０】
2008020149.tif 000012
【図１１】
2008020149.tif 000013
【図１２】
2008020149.tif 000014
【図１３】
2008020149.tif 000015
【図１４】
2008020149.tif 000016
【図１５】
2008020149.tif 000017
【図１６】
2008020149.tif 000018
【図１７】
2008020149.tif 000019